(57)【要約】  【課題】  色収差を良好に補正した光学系を安価に製造する事。  【解決手段】  物体側より正の第1aレンズ群、負の第2レンズ群を有する第1の形態と、物体側より前記第1aレンズ群と異なる第1bレンズ群、第1光学系の第2レンズ群以降から成る第2の形態とがあり、θgF1aは第1aレンズ群中の全正レンズの部分分散比、νd1aは第1aレンズ群中の全正レンズのアッベ数、νd1bは第1bレンズ群中の少なくとも一つの正の屈折力を持つ固体材料のアッベ数、θgF1bは第1bレンズ群中の少なくとも一つの正の屈折力を持つ固体材料の部分分散比とした時、下記条件を満たす構成とする。θgF1a＜-0.9E-3×νd1a+0.61050＜νd1a＜75-2.1E-3×νd1b＋0.693＜θgF1b0.555＜θgF1b＜0.9-0.11＜θgF1b−θgF1a＜0.356【選択図】  図１
2012123031.tif 000002
【特許請求の範囲】
【請求項１】
物体側より正の第1aレンズ群、負の第2レンズ群を有する第1の形態と、
物体側より前記第1aレンズ群と異なる第1bレンズ群、第1光学系の第2レンズ群以降から成る第2の形態とがあり、
θgF1aは第1aレンズ群中の全正レンズの部分分散比、νd1aは第1aレンズ群中の全正レンズのアッベ数、νd1bは第1bレンズ群中の少なくとも一つの正の屈折力を持つ固体材料のアッベ数、θgF1bは第1bレンズ群中の少なくとも一つの正の屈折力を持つ固体材料の部分分散比とした時、
下記条件を満たす事を特徴とする撮影光学系。
θgF1a＜-0.9E-3×νd1a+0.610
50＜νd1a＜75
-2.1E-3×νd1b＋0.693＜θgF1b
0.555＜θgF1b＜0.9
-0.11＜θgF1b−θgF1a＜0.356
【請求項２】
D1aは前記第1aレンズ群の光軸上の厚み、D1bは前記第1bレンズ群の光軸上の厚み、gF1は前記第1の形態での望遠端におけるg線・F線の軸上色差、gF2は前記第2の形態での望遠端におけるg線・F線の軸上色差とした時、
下記条件を満たす事を特徴とする請求項1に記載の撮影光学系。
0.5＜D1b／D1a＜2.0
0.0＜｜gF2｜／｜gF1｜＜0.9
【請求項３】
前記第1の形態と前記第2の形態とで前記第2レンズ以降の光軸上の配置は同一にし、
Δskは前記第1の形態と前記第2の形態との望遠端におけるバックフォーカスの差、faは前記第1の形態の広角端における焦点距離、fbは前記第2の形態の広角端における焦点距離、f1aは前記第1aレンズ群L1aの焦点距離、f1bは前記第1bレンズ群L1bの焦点距離とした時、
下記条件を満たす事を特徴とする請求項1又は請求項2に記載の撮影光学系。
0.0≦｜Δsk｜／fa＜0.05
0.8＜f1b／f1a＜1.2
【請求項４】
前記第1aレンズ群及び前記第1bレンズ群を保持する鏡筒は、前記第2レンズ群以降を保持する鏡筒と分割されている事を特徴とする請求項1乃至請求項3の何れか１項に記載の撮影光学系を保持するレンズ鏡筒。
【発明の詳細な説明】
【技術分野】
【０００１】
本発明は撮影光学系に関するものである。特に異なる結像性能を選択可能とする撮影光学系に関するものである。
【背景技術】
【０００２】
近年、写真用カメラやビデオカメラに対しては高画質化の要望が高く、特に高級機では焦点距離を伸ばした際に大きく発生する色収差の改善が求められている。また、その一方で、高級機とは言え可能な限りの低価格化も望まれている。
【０００３】
特許文献1では、回折光学素子より安価に製造できる異常部分分散性が大きい固体材料を用いる事で色収差改善を図っている。
【０００４】
また、光学系のコスト低減を図る為の手段としては、一部のレンズ群を交換する事で異なる特性の光学系を製造する手段が知られている。例えば、特許文献2では、ズームレンズの一部のレンズ群を選択する事でズーム比の異なる複数の変倍域を備えたズーム光学系を実現している。また、特許文献3では、物体側のレンズ群を交換する事で異なる画面サイズに対応可能としている。
【先行技術文献】
【特許文献】
【０００５】
【特許文献１】特開2006-349948号公報
【特許文献２】特開平8--101342号公報
【特許文献３】特開2000-221395号公報
【発明の概要】
【発明が解決しようとする課題】
【０００６】
高級機の需要数は普及期に比べれば少なく、多くの生産数は見込めない。しかしながら、生産数が少ないと上記異常部分分散性が大きい固体材料を始めとする色収差補正用素子以外の通常の光学ガラスに関しても製造コストが上がってしまい、光学系全体としてのコストをより一層高くする問題にもなっている。
【０００７】
しかしながら、生産数が多い光学系から多くの部品を共用出来ればコスト低減が見込めるのである。
【０００８】
本発明では、色収差の改善と低価格化を両立する事を目的としている。
【課題を解決するための手段】
【０００９】
上記の問題を解決する為に、本発明では、物体側より正の第1aレンズ群、負の第2レンズ群を有する第1の形態と、物体側より前記第1aレンズ群と異なる第1bレンズ群、第1光学系の第2レンズ群以降から成る第2の形態とがあり、θgF1aは第1aレンズ群中の全正レンズの部分分散比、νd1aは第1aレンズ群中の全正レンズのアッベ数、νd1bは第1bレンズ群中の少なくとも一つの正の屈折力を持つ固体材料のアッベ数、θgF1bは第1bレンズ群中の少なくとも一つの正の屈折力を持つ固体材料の部分分散比とした時、下記条件を満たす構成とする。
θgF1a＜-0.9E-3×νd1a+0.610
50＜νd1a＜75
-2.1E-3×νd1b＋0.693＜θgF1b
0.555＜θgF1b＜0.9
-0.11＜θgF1b−θgF1a＜0.356
【発明の効果】
【００１０】
上記手段により、低コスト且つ色収差が良好に補正した光学系を実現する事が出来る。
【図面の簡単な説明】
【００１１】
【図１】数値実施例1第1形態の光学系のレンズ断面図である。
【図２】数値実施例1第2形態の光学系のレンズ断面図である。
【図３】数値実施例2第1形態の光学系のレンズ断面図である。
【図４】数値実施例2第2形態の光学系のレンズ断面図である。
【図５】数値実施例3第1形態の光学系のレンズ断面図である。
【図６】数値実施例3第2形態の光学系のレンズ断面図である。
【図７】数値実施例1第1形態の光学系の広角端における収差図である。
【図８】数値実施例1第1形態の光学系の中間焦点距離における収差図である。
【図９】数値実施例1第1形態の光学系の望遠端における収差図である。
【図１０】数値実施例1第2形態の光学系の広角端における収差図である。
【図１１】数値実施例1第2形態の光学系の中間焦点距離における収差図である。
【図１２】数値実施例1第2形態の光学系の望遠端における収差図である。
【図１３】数値実施例2第1形態の光学系の広角端における収差図である。
【図１４】数値実施例2第1形態の光学系の中間焦点距離における収差図である。
【図１５】数値実施例2第1形態の光学系の望遠端における収差図である。
【図１６】数値実施例2第2形態の光学系の広角端における収差図である。
【図１７】数値実施例2第2形態の光学系の中間焦点距離における収差図である。
【図１８】数値実施例2第2形態の光学系の望遠端における収差図である。
【図１９】数値実施例3第1形態の光学系の広角端における収差図である。
【図２０】数値実施例3第1形態の光学系の中間焦点距離における収差図である。
【図２１】数値実施例3第1形態の光学系の望遠端における収差図である。
【図２２】数値実施例3第2形態の光学系の広角端における収差図である。
【図２３】数値実施例3第2形態の光学系の中間焦点距離における収差図である。
【図２４】数値実施例3第2形態の光学系の望遠端における収差図である。
【図２５】本発明のズームレンズをビデオカメラに適用した場合の実施形態を説明するための図である。
【発明を実施するための形態】
【００１２】
次に、本発明の実施形態を図面を用いて具体的に説明する。
【００１３】
図1〜6は、後述する数値実施例1〜3のレンズ断面図、図7〜24はそれぞれ各数値実施例の収差図である。図7〜24において、図7、10、13、16、19、21は広角端における収差図、図8、14、17、20、22は中間焦点距離における収差図、図9、15、18、21、24は望遠端における収差図である。収差図において、d、gはd線及びg線、ΔM、ΔSはメリジオナル像面、サジタル像面、倍率色収差はg線によって表している。
【００１４】
図1〜6のレンズ断面図において、L1a、L1bはそれぞれ第1a、1bレンズ群、L2〜L5はそれぞれ第2〜5レンズ群、SPは絞り、PはCCDのフェースプレートやローパスフィルター等のガラスブロック、Iは像面である。本実施形態においては、広角端から望遠端への変倍に際して、図中の矢印のように各群を移動させている。なお、第4レンズ群L4もしくは第5レンズ群L5の変倍に伴う移動軌跡は物体距離によって異なり、図中実線で表された移動軌跡は無限遠物体の場合、破線で表された移動軌跡は至近物体の場合をそれぞれ表している。
【００１５】
本発明では色収差を良好に補正する為の固体材料を最も物体側のレンズ群内に用いる構成としており、物体側より正の第1aレンズ群L1a、負の第2レンズ群L2を有する第1の形態と、物体側より前記第1aレンズ群と異なる第1bレンズ群L1b、第1の形態の第2レンズ群L2以降から成る第2の形態とがある。第1aレンズ群と第1bレンズ群とを選択可能とする事で色収差の補正度合いを選択可能としている。なお、第1の形態更を生産数が望める安価な光学系、第2の形態を高級機に適した色収差を良好に補正した光学系としている。また、第１の形態と第2の形態とでフォーカス群や像面の光軸上の位置を変更しても良い。更に、本発明の光学系は以下の式を満足している。
θgF1a＜-0.9E-3×νd1a+0.610・・・・・・(1)
50＜νd1a＜75・・・・・・(2)
-2.1E-3×νd1b＋0.693＜θgF1b・・・・・・(3)
0.555＜θgF1b＜0.9・・・・・・(4)
-0.11＜θgF1b−θgF1a＜0.356・・・・・・(5)
但し、θgF1aは第1aレンズ群L1a中の全正レンズの部分分散比、νd1aは第1aレンズ群L1a中の全正レンズのアッベ数、νd1bは第1bレンズ群L1b中の少なくとも一つの正の屈折力を持つ固体材料のアッベ数、θgF1bは第1bレンズ群L1b中の少なくとも一つの正の屈折力を持つ固体材料の部分分散比である。
【００１６】
条件式(1)は第1aレンズ群L1a中の全正レンズの材料を規定した式である。条件式の範囲を超える程異常部分分散性が大きい材料は高価であり、第1の形態の需要数を減らす要因となる。第1の形態は第2レンズ群L2移行のレンズ群の生産数を増やし安価に製造する事を望んでいる為、第1の形態のコストが上がる事は好ましくない。
【００１７】
条件式(2)は第1aレンズ群L1a中の全正レンズの材料を規定した式である。条件式(2)の上限値を超えた場合、材料が高価となり第1の形態の需要数を減らす要因となる。逆に下限値を超えた場合、望遠端の色収差の補正が困難となる。
【００１８】
条件式(3)は第1bレンズ群L1b中の少なくとも一つの正の屈折力を持つ固体材料の部分分散比を規定した式である。条件式の範囲を超えると異常部分分散性が不十分となり色収差の補正が困難となる。
【００１９】
条件式(4)は第1bレンズ群L1b中の少なくとも一つの正の屈折力を持つ固体材料の部分分散比を規定した式である。条件式(4)の上限値を超えた場合、短波長側の屈折が過剰となり、それを補うには他のレンズの屈折力を高める必要があり、その結果、球面収差、コマ収差、非点収差等の諸収差の補正が困難となる。逆に下限値を超えた場合、異常部分分散性が少なく、色収差の補正が困難となる。
【００２０】
条件式(5)は第1aレンズ群L1aと第1bレンズ群L1bとで用いている材料の異常部分分散性の差を規定する式である。条件式(5)の上限値を超えた場合、第1bレンズ群L1bで短波長の屈折が過剰となり、諸収差補正が困難となる。逆に下限値を超えた場合、第1の形態と第2の形態との色収差の差が少なくなり、第2の形態が高級機としての差別化が困難となる。
更に、本発明の光学系は以下の式を満足するのが望ましい。
0.5＜D1b／D1a＜2.0・・・・・・(6)
0.1＜｜gF2｜／｜gF1｜＜0.9・・・・・・(7)
但し、D1aは第1aレンズ群L1aの光軸上の厚み、D1bは第1bレンズ群L1bの光軸上の厚み、gF1は第1の形態での望遠端におけるg線・F線の軸上色差、gF2は第2の形態での望遠端におけるg線・F線の軸上色差である。
【００２１】
条件式(6)は第1aレンズ群L1aと第1bレンズ群L1bの厚みの比を規定する式である。条件式(6)の上限値を超えると第2の形態の全長が長くなり好ましくない。逆に下限値を超え場合、第1bレンズ群L1b中の素子の厚みや構成枚数が制限され、諸収差の補正を良好に行なう事が困難となる。
【００２２】
条件式(7)は第1の形態と第2の形態の望遠端における色収差の比を規定したものである。条件式(7)の上限値を超えた場合、第1の形態に対する第2の形態の色収差改善が少なくなり、第2の形態が高級機としての差別化が困難となる。逆に下限値を超えた場合、第2の形態の軸上色は良好であるが、短波長側の屈折率が過剰な事から球面収差等の諸収差の補正が困難となる。
【００２３】
更に、本発明の光学系は以下の式を満足するのが望ましい。
0.0≦｜Δsk｜／fa＜0.05・・・・・・(8)
0.8＜f1b／f1a＜1.2・・・・・・(9)
但し、第1の形態と前記第2の形態とで第2レンズL2以降の光軸上の配置は同一にした状態において、Δskは第1の形態と第2の形態との望遠端におけるバックフォーカスの差、faは第1の形態の広角端における焦点距離、fbは第2の形態の広角端における焦点距離、f1aは第1aレンズ群L1aの焦点距離、f1bは第1bレンズ群L1bの焦点距離とする。
【００２４】
条件式(8)は第1の形態と第2の形態でのバックフォーカスのずれ量を規定したものである。条件式(8)の上限値を超えた場合、フォーカスレンズ群でバックフォーカスのずれを補正した際の諸収差の変動が大きくなる。条件式(8)の下限値を超える場合、第1の形態が発散光学系となる為、本発明の目的に沿わない。
【００２５】
条件式(9)は第1aレンズ群L1aと第1bレンズ群L1bとの焦点距離の比を規定した式である。条件式(9)の上下限値を超えると第1aレンズ群L1aと第1bレンズ群L1bとで主点位置を変えたとしても、第1の形態と第2の形態とでバックフォーカスや焦点距離のずれ量を小さくする事が困難となる。
【００２６】
更に、本発明の光学系において、前記第1aレンズ群L1a及び前記第1bレンズ群L1bを保持する鏡筒は、前記第2レンズ群以降を保持する鏡筒と分割する事が望ましい。
【００２７】
第1aレンズ群L1a及び第1bレンズ群L1bそれぞれが独立して保持される事で第1aレンズ群L1aと第1bレンズ群L1bの交換が容易となる。
【００２８】
以下に本発明の数値実施例を記載する。
【００２９】
数値実施例1及び3は第1の形態と第2の形態とでフォーカス群である第４レンズ群L4及び像面Iの光軸上の位置を変更している例である。数値実施例2は第1の形態と第2の形態とでフォーカス群である第４レンズ群L4及び像面Iの光軸上の位置が一致している例である。
【００３０】
数値実施例において、Riは物体側より順に第i番目の面の曲率半径、Diは第i番目の面と第i＋1番目の面の間隔(レンズ厚あるいは空気間隔)、Niとνiはそれぞれ第i番目のレンズの材質の屈折率とアッベ数である。
【００３１】
非球面形状は、光軸方向にX軸、光軸と垂直方向h軸、光の進行方向を正とし、Rを近軸曲率半径、各非球面係数をk、B、C、D、E、A’、B’、C’、D’、E’としたとき、
【００３２】
【数１】
2012123031.tif 000003
【００３３】
なる式で表している。
【００３４】
また、例えば「e−Z」の表示は「10−Z」を意味する。
【００３５】
数値実施例1
第1の形態
単位 mm
面データ
面番号       r        d      nd         vd
1         35.695    1.25   1.84666    23.9           
2         22.657    5.00   1.48749    70.2           
3       -329.377    0.20                             
4         20.944    3.21   1.60311    60.6           
5         69.353  (可変)                             
6         57.970    0.70   1.88300    40.8           
7          6.660    2.73                             
8        -20.442    0.60   1.48749    70.2           
9         13.859    0.82                             
10         11.989    1.39   1.92286    18.9           
11         28.809  (可変)                             
12*        10.325    3.22   1.58313    59.4           
13        -44.676    1.45                             
14(絞り)    ∞       2.25                             
15         87.302    0.60   1.76182    26.5           
16          8.926    0.43                             
17*        12.887    2.13   1.58313    59.4           
18        -72.475  (可変)                             
19         16.345    2.25   1.80400    46.6           
20        -21.144    0.60   1.84666    23.9           
21       -382.028  (可変)                             
22          ∞       1.94   1.51633    64.1           
23          ∞       1.00                             
像面        ∞   
非球面データ
第12面
K =-1.07783e+000  A 4= 8.19258e-006  A 6=-2.80408e-007  A 8= 1.80519e-009  A10=-2.77065e-011  
第17面
K = 2.68490e+000  A 4=-1.85266e-004  A 6=-9.61889e-007  A 8=-2.57003e-008  
各種データ
ズーム比      9.81 
広角     中間     望遠
焦点距離       6.60    27.48    64.77  
Fナンバー      1.85     2.70     3.00  
画角          26.85     6.93     2.95  
像高           3.34     3.34     3.34  
レンズ全長    65.84    65.84    65.84  
BF            10.10    13.48     5.90  
d 5            0.70    15.06    20.10  
d11           20.24     5.88     0.84  
d18            5.98     2.60    10.18  
d21            7.82    11.20     3.62  
ズームレンズ群データ
群  始面    焦点距離  
1    1      34.05  
2    6      -7.75  
3   12      18.85  
4   19      20.27  
5   22       ∞    
第2の形態
単位 mm
面データ
面番号       r        d      nd         vd
1         37.638    1.25   1.92286    18.9           
2         19.072    2.50   1.63555    22.7           
3         35.311    0.20                             
4         25.205    4.32   1.48749    70.2           
5       -391.883    0.20                             
6         24.351    2.38   1.77250    49.6           
7         54.152  (可変)                             
8         57.970    0.70   1.88300    40.8           
9          6.660    2.73                             
10        -20.442    0.60   1.48749    70.2           
11         13.859    0.82                             
12         11.989    1.39   1.92286    18.9           
13         28.809  (可変)                             
14*        10.325    3.22   1.58313    59.4           
15        -44.676    1.45                             
16(絞り)    ∞       2.25                             
17         87.302    0.60   1.76182    26.5           
18          8.926    0.43                             
19*        12.887    2.13   1.58313    59.4           
20        -72.475  (可変)                             
21         16.345    2.25   1.80400    46.6           
22        -21.144    0.60   1.84666    23.9           
23       -382.028  (可変)                             
24          ∞       1.94   1.51633    64.1           
25          ∞       1.00                             
像面        ∞   
非球面データ
第14面
K =-1.07783e+000  A 4= 8.19258e-006  A 6=-2.80408e-007  A 8= 1.80519e-009  A10=-2.77065e-011  
第19面
K = 2.68490e+000  A 4=-1.85266e-004  A 6=-9.61889e-007  A 8=-2.57003e-008  
各種データ
ズーム比      9.87 
広角     中間     望遠
焦点距離       6.60    27.55    65.16  
Fナンバー      1.85     2.70     3.00  
画角          26.84     6.92     2.94  
像高           3.34     3.34     3.34  
レンズ全長    67.00    67.00    67.00  
BF            10.11    13.47     5.79  
d 7            0.74    15.09    20.14  
d13           20.24     5.88     0.84  
d20            5.90     2.55    10.23  
d23            7.83    11.19     3.51  
ズームレンズ群データ
群  始面    焦点距離  
1    1      34.08  
2    8      -7.75  
3   14      18.85  
4   21      20.27  
5   24       ∞    
数値実施例2
第1の形態
単位 mm
面データ
面番号       r        d      nd         vd
1         45.487    1.15   1.84666    23.9           
2         27.522    3.65   1.48749    70.2           
3       -182.544    0.20                             
4         32.533    2.03   1.71300    53.9           
5        116.441  (可変)                             
6        253.910    1.00   1.88300    40.8           
7          5.823    2.50                             
8        -21.927    0.80   1.77250    49.6           
9         19.018    0.22                             
10         10.866    1.53   1.92286    18.9           
11         62.902  (可変)                             
12*        13.143    1.91   1.58313    59.4           
13*       -12.880    1.58                             
14(絞り)    ∞       1.97                             
15         66.373    0.90   1.92286    18.9           
16          9.666    0.10                             
17         11.022    1.67   1.77250    49.6           
18        -10.269  (可変)                             
19         26.314    0.80   1.69350    53.2           
20*         5.731  (可変)                             
21       -157.045    1.80   1.83481    42.7           
22        -12.096  (可変)                             
23          ∞       2.59   1.51633    64.1           
24          ∞       1.00                             
像面        ∞   
非球面データ
第12面
K =-2.39987e+000  A 4=-1.26814e-004  A 6= 2.25922e-005  A 8=-1.47250e-006  A10=-1.37571e-010  
第13面
K =-5.10620e+000  A 4= 7.59035e-005  A 6= 2.25827e-005  A 8=-9.87818e-007  A10=-3.53221e-011  
第20面
K = 2.67619e-001  A 4= 8.01417e-005  A 6=-8.57578e-006  A 8=-9.35838e-007  
各種データ
ズーム比      9.78 
広角     中間     望遠
焦点距離       5.15    15.41    50.36  
Fナンバー      3.40     4.58     5.77  
画角          36.80    14.03     4.37  
像高           3.85     3.85     3.85  
レンズ全長    47.37    56.94    69.15  
BF             5.89     4.94     4.12  
d 5            0.68    12.96    24.60  
d11           12.68     4.95     1.01  
d18            1.22     2.54     2.10  
d20            3.09     7.73    13.52  
d22            3.18     2.23     1.41  
ズームレンズ群データ
群  始面    焦点距離  
1    1      41.85  
2    6      -6.64  
3   12       8.39  
4   19     -10.74  
5   21      15.61  
6   23       ∞    
第2の形態
単位 mm
面データ
面番号       r        d      nd         vd
1         53.754    1.15   1.92286    18.9           
2         27.783    1.04   1.63555    22.7           
3         44.826    2.46   1.60311    60.6           
4       -223.306    0.20                             
5         30.464    2.18   1.62299    58.2           
6        118.200  (可変)                             
7        253.910    1.00   1.88300    40.8           
8          5.823    2.50                             
9        -21.927    0.80   1.77250    49.6           
10         19.018    0.22                             
11         10.866    1.53   1.92286    18.9           
12         62.902  (可変)                             
13*        13.143    1.91   1.58313    59.4           
14*       -12.880    1.58                             
15(絞り)    ∞       1.97                             
16         66.373    0.90   1.92286    18.9           
17          9.666    0.10                             
18         11.022    1.67   1.77250    49.6           
19        -10.269  (可変)                             
20         26.314    0.80   1.69350    53.2           
21*         5.731  (可変)                             
22       -157.045    1.80   1.83481    42.7           
23        -12.096  (可変)                             
24          ∞       2.59   1.51633    64.1           
25          ∞       1.00                             
像面        ∞   
非球面データ
第13面
K =-2.39987e+000  A 4=-1.26814e-004  A 6= 2.25922e-005  A 8=-1.47250e-006  A10=-1.37571e-010  
第14面
K =-5.10620e+000  A 4= 7.59035e-005  A 6= 2.25827e-005  A 8=-9.87818e-007  A10=-3.53221e-011  
第21面
K = 2.67619e-001  A 4= 8.01417e-005  A 6=-8.57578e-006  A 8=-9.35838e-007  
各種データ
ズーム比      9.79 
広角     中間     望遠
焦点距離       5.16    15.44    50.50  
Fナンバー      3.40     4.58     5.77  
画角          36.74    14.00     4.36  
像高           3.85     3.85     3.85  
レンズ全長    47.37    56.94    69.15  
BF             5.89     4.94     4.12  
d 6            0.68    12.96    24.60  
d12           12.68     4.95     1.01  
d19            1.22     2.54     2.09  
d21            3.09     7.72    13.51  
d23            3.18     2.23     1.41  
ズームレンズ群データ
群  始面    焦点距離  
1    1      41.94  
2    7      -6.64  
3   13       8.39  
4   20     -10.74  
5   22      15.61  
6   24       ∞    
数値実施例3
第1の形態
単位 mm
面データ
面番号       r        d      nd         vd
1         99.207    1.70   1.80518    25.4           
2         41.142    5.45   1.48749    70.2           
3       -325.945    0.17                             
4         43.541    3.40   1.48749    70.2           
5        298.330    0.17                             
6         26.891    3.25   1.60311    60.6           
7         65.488  (可変)                             
8         50.090    0.70   2.00069    25.5           
9          5.971    3.51                             
10        -17.285    0.60   1.58313    59.4           
11          7.690    2.80   1.92286    18.9           
12         43.001  (可変)                             
13(絞り)    ∞       1.30                             
14*        22.573    2.70   1.58313    59.4           
15*       215.489  (可変)                             
16*        15.337    2.70   1.58313    59.4           
17*       -53.052    0.33                             
18        123.556    0.60   1.84666    23.9           
19         11.628    3.60   1.51742    52.4           
20        -15.274  (可変)                             
21          ∞       1.85   1.51633    64.1           
22          ∞       1.00                             
像面        ∞   
非球面データ
第14面
K = 7.35499e-002  A 4=-8.72631e-005  
第15面
K = 7.22649e+002  A 4=-6.54887e-005  A 6= 4.12009e-007  
第16面
K =-1.29379e+000  A 4=-4.79472e-005  A 6= 1.77531e-007  A 8= 2.17854e-009  A10=-3.47910e-011  
第17面
K =-3.43188e+001  A 4= 3.51202e-006  
各種データ
ズーム比     39.48 
広角     中間     望遠
焦点距離       3.41    34.67   134.48  
Fナンバー      1.65     2.24     4.70  
画角          33.45     3.71     0.96  
像高           2.25     2.25     2.25  
レンズ全長    87.51    87.51    87.51  
BF            14.45    20.21     5.89  
d 7            0.52    23.56    29.32  
d12           30.50     7.46     1.70  
d15            9.06     3.30    17.61  
d20           12.23    17.99     3.67  
ズームレンズ群データ
群  始面    焦点距離  
1    1      40.42  
2    8      -6.05  
3   13      43.02  
4   16      17.46  
5   21       ∞    
第2の形態
単位 mm
面データ
面番号       r        d      nd         vd
1        145.931    1.70   1.92286    20.9           
2         40.884    2.00   1.63555    22.7           
3         70.861    3.36   1.60311    60.6           
4       -373.918    0.17                             
5         45.676    3.23   1.60311    60.6           
6        276.511    0.17                             
7         27.317    3.25   1.60311    60.6           
8         68.637  (可変)                             
9         50.090    0.70   2.00069    25.5           
10          5.971    3.51                             
11        -17.285    0.60   1.58313    59.4           
12          7.690    2.80   1.92286    18.9           
13         43.001  (可変)                             
14(絞り)    ∞       1.30                             
15*        22.573    2.70   1.58313    59.4           
16*       215.489  (可変)                             
17*        15.337    2.70   1.58313    59.4           
18*       -53.052    0.33                             
19        123.556    0.60   1.84666    23.9           
20         11.628    3.60   1.51742    52.4           
21        -15.274  (可変)                             
22          ∞       1.85   1.51633    64.1           
23          ∞       1.00                             
像面        ∞   
非球面データ
第15面
K = 7.35499e-002  A 4=-8.72631e-005  
第16面
K = 7.22649e+002  A 4=-6.54887e-005  A 6= 4.12009e-007  
第17面
K =-1.29379e+000  A 4=-4.79472e-005  A 6= 1.77531e-007  A 8= 2.17854e-009  A10=-3.47910e-011  
第18面
K =-3.43188e+001  A 4= 3.51202e-006  
各種データ
ズーム比     39.50 
広角     中間     望遠
焦点距離       3.37    34.13   133.13  
Fナンバー      1.65     2.24     4.71  
画角          33.73     3.77     0.97  
像高           2.25     2.25     2.25  
レンズ全長    87.46    87.46    87.46  
BF            14.45    20.19     5.95  
d 8            0.52    23.56    29.32  
d13           30.50     7.46     1.70  
d16            9.28     3.53    17.78  
d21           12.23    17.97     3.73  
ズームレンズ群データ
群  始面    焦点距離  
1    1      40.01  
2    9      -6.05  
3   14      43.02  
4   17      17.46  
5   22       ∞    
前述の各条件式と数値実施例における諸数値との関係を表−1に示す。
【００３６】
【表１】
2012123031.tif 000004
【００３７】
以上説明した様に、各実施例によれば、色収差補正の度合いが選択可能な光学系を実現する事が出来る。
【００３８】
次に本発明のズームレンズを撮影光学系として用いたビデオカメラの実施形態を図25を用いて説明する。
【００３９】
図25において、10はビデオカメラ本体、11は本発明のズームレンズによって構成された撮影光学系、12は撮影光学系11によって被写体像を受光するCCD等の撮像素子、13は撮像素子12が受光した被写体像を記録する記録手段、14は不図示の表示素子に表示された被写体像を観察するためのファインダーである。上記表示素子は液晶パネル等によって構成され、撮像素子12上に形成された被写体像が表示される。
【００４０】
この様に本発明のズームレンズをビデオカメラ等の光学機器に適用することにより、小型で高い光学性能を有する光学機器が実現できる。
【符号の説明】
【００４１】
L1  第1レンズ群
L2  第2レンズ群
L3  第3レンズ群
L4  第4レンズ群
L5  第5レンズ群
SP  絞り
P  フィルター類
I  像面
【図１】
2012123031.tif 000005
【図２】
2012123031.tif 000006
【図３】
2012123031.tif 000007
【図４】
2012123031.tif 000008
【図５】
2012123031.tif 000009
【図６】
2012123031.tif 000010
【図７】
2012123031.tif 000011
【図８】
2012123031.tif 000012
【図９】
2012123031.tif 000013
【図１０】
2012123031.tif 000014
【図１１】
2012123031.tif 000015
【図１２】
2012123031.tif 000016
【図１３】
2012123031.tif 000017
【図１４】
2012123031.tif 000018
【図１５】
2012123031.tif 000019
【図１６】
2012123031.tif 000020
【図１７】
2012123031.tif 000021
【図１８】
2012123031.tif 000022
【図１９】
2012123031.tif 000023
【図２０】
2012123031.tif 000024
【図２１】
2012123031.tif 000025
【図２２】
2012123031.tif 000026
【図２３】
2012123031.tif 000027
【図２４】
2012123031.tif 000028
【図２５】
2012123031.tif 000029